(57)【要約】【課題】  クレーン等に設けた吊りワイヤで足場ユニットを、安全、確実、簡易に吊ること。【解決手段】  足場の組立及び解体方法において、足場ユニット１０の前後の全柱１１Ａ、１１Ｂを横切るように配置されて各柱１１Ａ、１１Ｂに少なくとも軸方向にて止められた吊りビーム３０を介して、当該足場ユニット１０を吊り上げ又は吊り下ろす工程を有してなるもの。【選択図】  図１
2010222884.tif 000002
【特許請求の範囲】
【請求項１】
前後の各複数本の柱と、前後の相対応する柱同士を対にして連結する横架材と、前側の柱同士を連結する前連結材と、後側の柱同士を連結する後連結材と、各柱の所定高さ位置に支持される踏板とを有してなる足場ユニットの複数個を、上下方向に積層してなる足場の組立及び解体方法において、
足場ユニットの前後の全柱を横切るように配置されて各柱に少なくとも軸方向にて止められた吊りビームを介して、当該足場ユニットを吊り上げ又は吊り下ろす工程を有してなることを特徴とする足場の組立及び解体方法。
【請求項２】
前記吊りビームが、足場ユニットの前側の全柱に止められる前側吊りビームと、後側の全柱に止められる後側吊りビームとからなる請求項１に記載の足場の組立及び解体方法。
【請求項３】
前記足場ユニットが、柱に着脱連結部を介して、横架材と前連結材と後連結材の各材のそれぞれが連結されてなり、各柱の踏板の上方に設けられる前連結材と後連結材を手摺としてなる着脱連結式足場ユニットである請求項１又は２に記載の足場の組立及び解体方法。
【請求項４】
前記足場ユニットが、柱に設けられる楔受と、各材に設けられる楔体の組合せにより前記着脱連結部を構成する楔緊結式足場ユニットであり、
前記吊りビームが、各柱の楔受の下部に当て止めされる請求項３に記載の足場の組立及び解体方法。
【請求項５】
前記足場ユニットが、前後の相対応する柱同士を横架材により枠をなすように一体に連結し、又は前側の柱同士を前連結材により、後側の柱同士を後連結材によりそれぞれ枠をなすように一体に連結してなる枠式足場ユニットである請求項１又は２に記載の足場の組立及び解体方法。
【発明の詳細な説明】
【技術分野】
【０００１】
本発明は足場の組立及び解体方法に関する。
【背景技術】
【０００２】
建築現場では、建物の躯体に沿う左右及び上下に複数個の足場ユニットを隣接及び積層してなる足場を用いている。足場ユニットとしては、例えば特許文献１に記載の着脱連結式（楔緊結式等）足場ユニット、特許文献２に記載の枠式足場ユニットがある。
【０００３】
着脱連結式足場ユニットは、柱に着脱連結部を介して、横架材と前連結材と後連結材の各材のそれぞれが連結されてなり、各柱の踏板の上方に設けられる前連結材と後連結材を手摺とする。着脱連結式足場ユニットは、柱、横架材、前連結材、後連結材等の各材を別体として取扱うものであり、運搬保管時の嵩張りがないし、各材を軽作業で短時間にユニット化でき、各材の使用経過による変形ひずみも吸収してユニット化できる。また、長尺柱の採用によれば、１個の足場ユニットで２層又は３層分（建物の２階又は３階分）等の足場を構築することもできる。
【０００４】
枠式足場ユニットは、前後の相対応する柱同士を横架材により枠をなすように一体に連結し、又は前側の柱同士を前連結材により、後側の柱同士を後連結材によりそれぞれ枠をなすように一体に連結する。枠式足場ユニットは、相対する枠と枠を筋交いによって固定気的に連結することにより高強度のユニットを構築できる。但し、各材を当初から枠として取扱うものであり、運搬保管時の嵩張りが大きいし、ユニット化の作業が重作業になり、その変形ひずみを生じた枠はユニット化に供せなくなる等の不都合がある。
【先行技術文献】
【特許文献】
【０００５】
【特許文献１】特開平6-280382
【特許文献２】特開2003-138742
【発明の概要】
【発明が解決しようとする課題】
【０００６】
着脱連結式足場ユニットや枠式足場ユニット等の足場ユニットは、建築現場における足場の組立及び解体の安全性、生産性を向上するため、地上でユニット化した足場ユニットをクレーン等で吊り上げて下層側の設置済の足場ユニットの上に搭載して連結し、又は上層で使用済となった足場ユニットを下層側の足場ユニットから外してクレーン等で地上に吊り下げることとしている。
【０００７】
従来技術では、クレーン等に設けた吊りワイヤを足場ユニットに取付けてそれらの吊り上げ、吊り下げを行なうものであり、以下の問題点がある。
【０００８】
クレーン等に設けた吊りワイヤで、着脱連結式足場ユニットを吊る場合、例えば前後の各複数本の柱を左右方向に多列（３列以上）設けたとき、前後のそれぞれで、左右両側の柱のみを吊りワイヤに取付けて吊ると、左右方向における中間の柱が前後の連結材との楔結合の外れ等により落下したり、中間の柱が楔結合されている前後の連結材が大きく沈み込む如くに垂れ下がって楔の折損等を生ずるおそれがある。これに対し、前後のそれぞれで、左右方向における全ての柱を吊りワイヤに取付けて吊るときには、柱本数分の多数本の吊りワイヤが必要になる。
【０００９】
尚、基本的に、着脱連結式足場ユニットの柱を吊りワイヤに取付けて吊るには、複数本の吊りワイヤの端に取付具を設け、各吊りワイヤの取付具の個々に柱を取付け、取外しする必要があり、吊りワイヤの取付作業も煩雑になる。
【００１０】
クレーン等に設けた吊りワイヤで枠式足場ユニットを吊る場合、例えば前後の各複数本の柱を左右方向に多列（３列以上）設けたとき、前後のそれぞれで、左右両側の柱のみを吊りワイヤに取付けて吊ると、左右方向における中間の枠が大きく沈み込む如くに垂れ下がって変形ひずみを生ずるおそれがある。これに対し、前後のそれぞれで、左右方向における全ての柱を吊りワイヤに取付けて吊るときには、柱本数分の多数本の吊りワイヤが必要になる。
【００１１】
尚、基本的に、枠式足場ユニットの柱を吊りワイヤに取付けて吊るには、複数本の吊りワイヤの端に取付具を設け、各吊りワイヤの取付具の個々に柱を取付け、取外しする必要があり、吊りワイヤの取付作業も煩雑になる。
【００１２】
本発明の課題は、クレーン等に設けた吊りワイヤで足場ユニットを、安全、確実、簡易に吊ることにある。
【課題を解決するための手段】
【００１３】
請求項１の発明は、前後の各複数本の柱と、前後の相対応する柱同士を対にして連結する横架材と、前側の柱同士を連結する前連結材と、後側の柱同士を連結する後連結材と、各柱の所定高さ位置に支持される踏板とを有してなる足場ユニットの複数個を、上下方向に積層してなる足場の組立及び解体方法において、足場ユニットの前後の全柱を横切るように配置されて各柱に少なくとも軸方向にて止められた吊りビームを介して、当該足場ユニットを吊り上げ又は吊り下ろす工程を有してなるようにしたものである。
【００１４】
請求項２の発明は、請求項１の発明において更に、前記吊りビームが、足場ユニットの前側の全柱に止められる前側吊りビームと、後側の全柱に止められる後側吊りビームとからなるようにしたものである。
【００１５】
請求項３の発明は、請求項１又は２の発明において更に、前記足場ユニットが、柱に着脱連結部を介して、横架材と前連結材と後連結材の各材のそれぞれが連結されてなり、各柱の踏板の上方に設けられる前連結材と後連結材を手摺としてなる着脱連結式足場ユニットであるようにしたものである。
【００１６】
請求項４の発明は、請求項３の発明において更に、前記足場ユニットが、柱に設けられる楔受と、各材に設けられる楔体の組合せにより前記着脱連結部を構成する楔緊結式足場ユニットであり、前記吊りビームが、各柱の楔受の下部に当て止めされるようにしたものである。
【００１７】
請求項５の発明は、請求項１又は２の発明において更に、前記足場ユニットが、前後の相対応する柱同士を横架材により枠をなすように一体に連結し、又は前側の柱同士を前連結材により、後側の柱同士を後連結材によりそれぞれ枠をなすように一体に連結してなる枠式足場ユニットであるようにしたものである。
【発明の効果】
【００１８】
（請求項１）
(a)足場ユニットの前後の全柱を横切るように配置されて各柱に少なくとも軸方向にて止められた吊りビームを介して、当該足場ユニットを吊り上げ又は吊り下ろす。従って、足場ユニットの前後の柱の本数が多数本であっても、多数の吊りビームを用意することなく、前後の全柱を横切る吊りビームを用意し、この吊りビームを各柱に少なくとも軸方向にて止めることにより、吊りビームを足場ユニットに簡易に取付けて吊ることができる。
【００１９】
(b)吊りビームを前後の全ての柱に直に軸方向で止めることにより、中間の柱、連結材等を沈み込ませる如くに垂れ下げることなく、足場ユニットの全体を変形させずに吊ることができ、足場ユニットを安全、確実に吊ることができる。
【００２０】
（請求項２）
(c)吊りビームが、足場ユニットの前側の全柱に止められる前側吊りビームと、後側の全柱に止められる後側吊りビームとからなる。従って、前側と後側の各吊りビームを用いて、足場ユニットを上述(a)、(b)により安全、確実、簡易に吊ることができる。
【００２１】
（請求項３）
(d)足場ユニットが、柱に着脱連結部を介して、横架材と前連結材と後連結材の各材のそれぞれが連結されてなり、各柱の踏板の上方に設けられる前連結材と後連結材を手摺としてなる着脱連結式であるものにした。着脱連結式足場ユニットのメリット（柱、横架材、前連結材、後連結材等の各材を別体として取扱うものであり、運搬保管時の嵩張りがないし、各材を軽作業で短時間にユニット化でき、各材の使用経過による変形ひずみも吸収してユニット化できる、長尺柱の採用によれば、１個の足場ユニットで２層又は３層分（建物の２階又は３階分）等の足場を構築することもできる）を享持しながら、それらの各材を地上でユニット化したものを吊り上げ／吊り下げして建築現場における足場の組立及び解体の安全性、生産性を向上できる。
【００２２】
着脱連結式足場ユニットの踏板の上で、吊りビームの取付け、取外しを行なう作業者は、その腰高に設けられる手摺により作業の安全を確保することもできる。
【００２３】
着脱連結式足場ユニットの前後の柱の本数が多数本であっても、前後の全柱を横切る吊りビームを用意するだけで当該足場ユニットを安全、確実、簡易に吊ることができる。
【００２４】
（請求項４）
(e)着脱連結式足場ユニットが、柱に設けられる楔受と、各材に設けられる楔体の組合せにより前記着脱連結部を構成する楔緊結式足場ユニットであり、前記吊りビームが、各柱の楔受の下部に当て止めされる。従って、前後の全柱を横切る吊りビームをそれらの柱に添設し、各柱の楔受の下部に当て止めすることで、吊りビームを当該足場ユニットに簡易に取付けできる。また、着脱連結式足場ユニットの全体を変形させずに吊ることができるから、柱の楔受や各材の楔体等の折損を生ずるおそれもない。
【００２５】
（請求項５）
(f)足場ユニットが、前後の相対応する柱同士を横架材により枠をなすように一体に連結し、又は前側の柱同士を前連結材により、後側の柱同士を後連結材によりそれぞれ枠をなすように一体に連結してなる枠式であるものにした。枠式足場ユニットのメリット（相対する枠と枠を筋交いによって固定気的に連結することにより高強度のユニットを構築できる）を享持しながら、それらの各材を地上でユニット化したものを吊り上げ／吊り下げして建築現場における足場の組立及び解体の安全性、生産性を向上できる。
【００２６】
枠式足場ユニットの前後の柱の本数が多数本であっても、前後の全柱を横切る吊りビームを用意するだけで当該足場ユニットを安全、確実、簡易に吊ることができる。
【図面の簡単な説明】
【００２７】
【図１】図１は足場ユニットの構築状態を示す全体斜視図である。
【図２】図２は足場ユニットの構築過程を示す斜視図である。
【図３】図３は足場ユニットに取付けた吊りビームを示す斜視図である。
【図４】図４は足場ユニットの柱と吊りビームを示す正面図である。
【図５】図５はクレーンによる足場ユニットの吊り状態を示す斜視図である。
【発明を実施するための形態】
【００２８】
図１に示す足場ユニット１０は、前側の複数本（本実施例では４本）の柱１１Ａと、後側の複数本（本実施例では４本）の柱１１Ｂと、前後の相対応する柱１１Ａ、１１Ｂ同士を対にして連結する横架材１２と、前側の柱１１Ａ同士を連結する前連結材１３Ａと、後側の柱１１Ｂ同士を連結する後連結材１３Ｂと、各柱１１Ａ、１１Ｂの所定高さ位置に支持される踏板１４とを有して構築される。尚、足場ユニット１０において、足場ユニット１０が使用される建物の躯体から遠い側を前側、躯体に近い側を後側というものとする。
【００２９】
本実施例の足場ユニット１０は、着脱連結式であり、柱１１Ａ、１１Ｂに着脱連結部２０を介して、横架材１２と前連結材１３Ａと後連結材１３Ｂの各材のそれぞれが連結されてなり、各柱１１Ａ、１１Ｂの踏板１４の上方に設けられる前連結材１３Ａと後連結材１３Ｂを作業者の腰高等に対応する手摺１５とするものである。踏板１４の両端部に設けられている各２個のフック１４Ａが相隣る横架材１２、１２に係着されて設けられる。
【００３０】
本実施例の着脱連結式足場ユニット１０は、楔緊結式であり、各柱１１Ａ、１１Ｂの正背面に設けられる２個の袋状の楔受２１、２１と、各柱１１Ａ、１１Ｂの左右側面に設けられる２個の袋状の楔受２２、２２と、各材１２、１３Ａ、１３Ｂの両端部に設けられる楔体２３の組合せにより、前記着脱連結部２０を構成する。本実施例では、楔受２１を楔受２２の下側に段差をなすように配置している。横架材１２の両端部の楔体２３、２３を前後の相対応する柱１１Ａ、１１Ｂの相対向する楔受２１、２１に挿入して押下げることにて、楔結合する。前連結材１３Ａの両端部の楔体２３、２３を相隣る前側の柱１１Ａ、１１Ａの相対向する楔受２２、２２に挿入して押下げることにて、楔結合する。後連結材１３Ｂの両端部の楔体２３、２３を相隣る後側の柱１１Ｂ、１１Ｂの相対向する楔受２２、２２に挿入して押下げることにて、楔結合する。
【００３１】
従って、足場ユニット１０は、図２に示す如く、建築現場の地上にて以下の如くに構築される。
【００３２】
(1)地面の上にアンダーベース１が設置され、アンダーベース１の上にパイプジャッキ２が着座される。
【００３３】
(2)各柱１１Ａ、１１Ｂの下端中空部がアンダーベース１の上のパイプジャッキ２に挿通されて支持される。前後の相対応する柱１１Ａ、１１Ｂの楔受２１、２１に横架材１２の両端部の楔体２３を楔結合し、前側の相隣る柱１１Ａ、１１Ａの楔受２２に前連結材１３Ａの両端部の楔体２３を楔結合し、後側の相隣る柱１１Ｂ、１１Ｂの楔受２２に後連結材１３Ｂの両端部の楔体２３を楔結合し、相隣る横架材１２、１２に踏板１４の両端部のフック１４Ａを係着する。
【００３４】
しかるに、建築現場では、足場ユニット１０を上述の如くに地上にて構築し、複数個の足場ユニット１０を建物の躯体に沿う上下方向に順に積層して足場を組立て、その後、解体する。即ち、地上でユニット化した足場ユニット１０をクレーン１００で吊り上げて下層側の設置済の足場ユニット１０の上に搭載して連結し、又は上層で使用済となった足場ユニット１０を下層側の足場ユニット１０から外してクレーン１００で地上に吊り下げる。以下、足場ユニット１０を用いた足場の組立及び解体方法について説明する。
【００３５】
即ち、本発明による足場の組立及び解体方法は、図１、図３に示す如く、足場ユニット１０の前後の全柱１１Ａ、１１Ｂを横切るように左右方向に延在されて配置される吊りビーム３０を介して、当該足場ユニット１０を吊り上げ又は吊り下ろす工程を有するものとする。このとき、吊りビーム３０は、各柱１１Ａ、１１Ｂに少なくとも軸方向にて止められ、クレーン１００の上向き吊り力が作用する吊りビーム３０を各柱１１Ａ、１１Ｂと軸方向で係合させ、各柱１１Ａ、１１Ｂを介して足場ユニット１０の全体にその吊り力を伝達可能にするものである。
【００３６】
本実施例では、吊りビール３０は、足場ユニット１０の前側の全柱１１Ａに止められる前側吊りビーム３１（具体的には柱１１Ａの正背面に添設されて一対をなす２本の前側吊りビーム３１、３１）と、足場ユニット１０の後側の全柱１１Ｂに止められる後側吊りビーム３２（具体的には柱１１Ｂの正背面に添設されて一対をなす２本の後側吊りビーム３２、３２）とからなる。２本のＬ形鋼からなる前側吊りビーム３１、３１が図１、図３、図４に示す如く、全柱１１Ａを正背両側から挟み、それらの前側吊りビーム３１の一端側（左側２本の柱１１Ａの間）と他端側（右側２本の柱１１Ａの間）で、それらの前側吊りビーム３１のウエブに挿通したボルト３３及びナット３４によりそれらの前側吊りビーム３１、３１の間に全柱１１Ａを挟持する。また、２本のＬ形鋼からなる後側吊りビーム３２、３２が図１、図３、図４に示す如く、全柱１１Ｂを正背両側から挟み、それらの後側吊りビーム３２の一端側（左側２本の柱１１Ｂの間）と他端側（右側２本の柱１１Ｂの間）で、それらの後側吊りビーム３２のウエブに挿通したボルト３３及びナット３４によりそれらの後側吊りビーム３２、３２の間に全柱１１Ｂを挟持する。
【００３７】
更に、各前側吊りビーム３１は各柱１１Ａの正背面に設けてある楔受２１の下部にそれらのフランジを下から当て止めすることにて、各柱１１Ａに軸方向にて止められる。また、各後側吊りビーム３２は、各柱１１Ｂの正背面に設けてある楔受２１の下部にそれらのフランジを下から当て止めすることにて、各柱１１Ｂに軸方向にて止められる。尚、各前側吊りビーム３１と各後側吊りビーム３２の両端側の２位置には、それらのフランジに設けられたアイボルト３５を介して、吊りワイヤ３６の吊り輪３７が着脱可能に連結されている。
【００３８】
従って、足場の組立、解体に際し、足場ユニット１０はクレーン１００により以下の如くに吊られる。
【００３９】
(1)地上で足場ユニット１０を構築した後、最上段の踏板１４の上に立つ作業者により、前側吊りビーム３１、３１を足場ユニット１０の全柱１１Ａに横切らせつつ、各柱１１Ａの楔受２１の下部に対し軸方向にて当て止めして取付けるとともに、後側吊りビーム３２、３２を足場ユニット１０の全柱１１Ｂに横切らせつつ、各柱１１Ｂの楔受２１の下部に対し軸方向にて当て止めして取付ける。
【００４０】
(2)クレーン１００のフック１０１に、各前側吊りビーム３１の吊りワイヤ３６、各後側吊りビーム３２の吊りワイヤ３６を掛ける。クレーン１００によりそれらの吊りビーム３１、３２を介して、足場ユニット１０の全体を吊り上げる（図５）。クレーン１００で吊り上げた足場ユニット１０の柱１１Ａ、１１Ｂの下端中空部を足場の下層側で設置済の足場ユニット１０の柱１１Ａ、１１Ｂの上端ほぞに差し込み、当該足場ユニット１０を下層側の足場ユニット１０の上に搭載して連結し、足場を組立てる。各吊りビーム３１、３２は足場ユニット１０から取外される。
【００４１】
(3)足場の上層で使用済となった足場ユニット１０に、上述(1)におけると同様にして、前側吊りビーム３１と後側吊りビーム３２を取付ける。
【００４２】
(4)クレーン１００のフック１０１に各前側吊りビーム３１の吊りワイヤ３６、各後側吊りビーム３２の吊りワイヤ３６を掛け、クレーン１００によりそれらの吊りビーム３１、３２を介して、足場ユニット１０の全体を下層側の足場ユニット１０から吊り上げて外し、当該足場ユニット１０を地上に吊り下げ、足場を解体する。各吊りビーム３１、３２は足場ユニット１０から取外される。
【００４３】
本実施例によれば、以下の作用効果を奏する。
(a)足場ユニット１０の前後の全柱１１Ａ、１１Ｂを横切るように配置されて各柱１１Ａ、１１Ｂに少なくとも軸方向にて止められた吊りビーム３０（３１、３２）を介して、当該足場ユニット１０を吊り上げ又は吊り下ろす。従って、足場ユニット１０の前後の柱１１Ａ、１１Ｂの本数が多数本であっても、多数の吊りビーム３０（３１、３２）を用意することなく、前後の全柱１１Ａ、１１Ｂを横切る吊りビーム３０（３１、３２）を用意し、この吊りビーム３０（３１、３２）を各柱１１Ａ、１１Ｂに少なくとも軸方向にて止めることにより、吊りビーム３０（３１、３２）を足場ユニット１０に簡易に取付けて吊ることができる。
【００４４】
(b)吊りビーム３０（３１、３２）を前後の全ての柱１１Ａ、１１Ｂに直に軸方向で止めることにより、中間の柱１１Ａ、１１Ｂ、連結材１３Ａ、１３Ｂ等を沈み込ませる如くに垂れ下げることなく、足場ユニット１０の全体を変形させずに吊ることができ、足場ユニット１０を安全、確実に吊ることができる。
【００４５】
(c)吊りビーム３０（３１、３２）が、足場ユニット１０の前側の全柱１１Ａに止められる前側吊りビーム３１と、後側の全柱１１Ｂに止められる後側吊りビーム３２とからなる。従って、前側と後側の各吊りビーム３１、３２を用いて、足場ユニット１０を上述(a)、(b)により安全、確実、簡易に吊ることができる。
【００４６】
(d)足場ユニット１０が、柱１１Ａ、１１Ｂに着脱連結部２０を介して、横架材１２と前連結材１３Ａと後連結材１３Ｂの各材のそれぞれが連結されてなり、各柱１１Ａ、１１Ｂの踏板１４の上方に設けられる前連結材１３Ａと後連結材１３Ｂを手摺１５としてなる着脱連結式であるものにした。着脱連結式足場ユニット１０のメリット（柱、横架材１２、前連結材１３Ａ、後連結材１３Ｂ等の各材を別体として取扱うものであり、運搬保管時の嵩張りがないし、各材を軽作業で短時間にユニット化でき、各材の使用経過による変形ひずみも吸収してユニット化できる、長尺柱の採用によれば、１個の足場ユニット１０で２層又は３層分（建物の２階又は３階分）等の足場を構築することもできる）を享持しながら、それらの各材を地上でユニット化したものを吊り上げ／吊り下げして建築現場における足場の組立及び解体の安全性、生産性を向上できる。
【００４７】
着脱連結式足場ユニット１０の踏板１４の上で、吊りビーム３０（３１、３２）の取付け、取外しを行なう作業者は、その腰高に設けられる手摺１５により作業の安全を確保することもできる。
【００４８】
着脱連結式足場ユニット１０の前後の柱１１Ａ、１１Ｂの本数が多数本であっても、前後の全柱１１Ａ、１１Ｂを横切る吊りビーム３０（３１、３２）を用意するだけで当該足場ユニット１０を安全、確実、簡易に吊ることができる。
【００４９】
(e)着脱連結式足場ユニット１０が、柱１１Ａ、１１Ｂに設けられる楔受２１、２２と、各材に設けられる楔体２３の組合せにより前記着脱連結部２０を構成する楔緊結式足場ユニット１０であり、前記吊りビーム３０（３１、３２）が、各柱１１Ａ、１１Ｂの楔受２１の下部に当て止めされる。従って、前後の全柱１１Ａ、１１Ｂを横切る吊りビーム３０（３１、３２）をそれらの柱に添設し、各柱１１Ａ、１１Ｂの楔受２１の下部に当て止めすることで、吊りビーム３０（３１、３２）を当該足場ユニット１０に簡易に取付けできる。また、着脱連結式足場ユニット１０の全体を変形させずに吊ることができるから、柱１１Ａ、１１Ｂの楔受２１、２２や各材の楔体２３等の折損を生ずるおそれもない。
【００５０】
尚、本発明が適用される足場ユニットは、前後の各複数本の柱と、前後の相対応する柱同士を対にして連結する横架材と、前側の柱同士を連結する前連結材と、後側の柱同士を連結する後連結材と、各柱の所定高さ位置に支持される踏板とを有してなる足場ユニットであって、前後の相対応する柱同士を横架材により枠をなすように一体に連結し、又は前側の柱同士を前連結材により、後側の柱同士を後連結材によりそれぞれ枠をなすように一体に連結してなる枠式足場ユニット（例えば特開2003-138742に記載の足場ユニットＡ）であっても良い。本発明を枠式足場ユニットからなる足場の組立及び解体方法に適用したときには、枠式足場ユニットのメリット（相対する枠と枠を筋交いによって固定気的に連結することにより高強度のユニットを構築できる）を享持しながら、それらの各材を地上でユニット化したものを吊り上げ／吊り下げして建築現場における足場の組立及び解体の安全性、生産性を向上できる。
【００５１】
枠式足場ユニットの前後の柱の本数が多数本であっても、前後の全柱を横切る吊りビームを用意するだけで当該足場ユニットを安全、確実、簡易に吊ることができる。
【００５２】
以上、本発明の実施例を図面により詳述したが、本発明の具体的な構成はこの実施例に限られるものではなく、本発明の要旨を逸脱しない範囲の設計の変更等があっても本発明に含まれる。例えば、足場ユニット１０に設けられる吊りビームは前後の柱１１Ａ、１１Ｂに共通して適用される１本物でも良い。また、吊りビーム３０を前後の吊りビーム３１、３２に分割したとき、各吊りビーム３１、３２は前後の柱１１Ａ、１１Ｂの外側面（足場ユニット１０の外方に臨む面）に穿設される１本物でも良い。足場ユニット１０において、１本物の吊りビーム３０、３１、３２を採用するとき、それらの吊りビーム３０、３１、３２は柱１１Ａ、１１Ｂに例えばＵボルト等を用いて取付けられる。
【００５３】
また、足場ユニット１０において、吊りビーム３０、３１、３２を柱１１Ａ、１１Ｂに少なくとも軸方向にて止める手段は、楔緊結式足場ユニットにおける楔受に限らず、実質的に吊りビーム３０、３１、３２を柱１１Ａ、１１Ｂに少なくとも軸方向にて固定的に止め得るものであれば、いかなるものでも良い。
【産業上の利用可能性】
【００５４】
本発明は、前後の各複数本の柱と、前後の相対応する柱同士を対にして連結する横架材と、前側の柱同士を連結する前連結材と、後側の柱同士を連結する後連結材と、各柱の所定高さ位置に支持される踏板とを有してなる足場ユニットの複数個を、上下方向に積層してなる足場の組立及び解体方法において、足場ユニットの前後の全柱を横切るように配置されて各柱に少なくとも軸方向にて止められた吊りビームを介して、当該足場ユニットを吊り上げ又は吊り下ろす工程を有してなるものにした。本発明によれば、クレーン等で足場ユニットを安全、確実、簡易に吊ることができる。
【符号の説明】
【００５５】
１０  足場ユニット
１１Ａ、１１Ｂ  柱
１２  横架材
１３Ａ  １３Ｂ  連結材
１４  踏板
１５  手摺
２０  着脱連結部
２１、２２  楔受
２３  楔体
３０  吊りビーム
３１  前側吊りビーム
３２  後側吊りビーム
【図１】
2010222884.tif 000003
【図２】
2010222884.tif 000004
【図３】
2010222884.tif 000005
【図４】
2010222884.tif 000006
【図５】
2010222884.tif 000007